(57)【要約】【課題】瓦葺き屋根の耐久性を向上させる。【解決手段】瓦葺設に用いる横桟１を横桟主材３と、これに整合する横桟副部材４を交互に積重ねて成し、該横桟副部材４に気液流通孔５、5a…を横桟副部材４の幅方向に貫設することによって、瓦Ｗの裏面側に漏洩した雨水を気液流通孔５、5a…を通して下方側に流下させると共に、瓦Ｗの裏面側の空気を棟側から軒側、或いはその逆方向に自由に流通させ、換気及び湿気排出する。又、上記横桟１上に縦桟２を交差状に配設して、縦桟２の横桟１からの突出高さを、Ｗ瓦の裏面が横桟１から離間する様に設定することによって、瓦Ｗの裏面と横桟１の間に隙間を形成し、かかる隙間から空気を流通させ、換気及び湿気排出を更に促し、屋根下地の腐朽を防止する。【選択図】図４
2006342537.tif 000002
【特許請求の範囲】
【請求項１】
屋根下地上に棟に平行状に付設する瓦係止用の横桟であって、横桟主材と、これに整合
する横桟副部材を交互に積重ねて成り、該横桟副部材に気液流通孔を横桟副部材の幅方向
であって付設時における屋根勾配方向に貫設したことを特徴とする瓦係止用の横桟。
【請求項２】
横桟主材、横桟副部材、或いは、横桟主材及び横桟副部材を、硬質で且つ形状復元性を
有する樹脂にて形成したことを特徴とする請求項１記載の瓦係止用の横桟。
【請求項３】
裏面尻側の差込側に縦桟の嵌合溝を凹設した縦桟瓦の葺設に用いる瓦桟であって、請求
項１又は２に記載の横桟上に縦桟を交差状に配設して成り、該縦桟の横桟からの突出高さ
を、葺設した縦桟瓦の裏面が横桟から離間する様に設定したことを特徴とする縦桟瓦係止
用の瓦桟。
【請求項４】
縦桟の位置を横桟の長手方向であって付設時における屋根幅方向に変更自在としたこと
を特徴とする請求項３記載の瓦桟。
【発明の詳細な説明】
【技術分野】
【０００１】
本発明は、屋下地上に付設する瓦係止用の横桟、並びに縦桟瓦係止用の瓦桟に関する。
【背景技術】
【０００２】
従来、瓦を葺設する際は、屋根下地の適切箇所に角材を横臥状態にて棟に略平行に配設
して、横桟木とし、この横桟木の棟側面に瓦の裏面尻側に突設した剣（山形突起）を引っ
掻け、横桟木上面に瓦の裏面を当接させて載置する様にしていた。
【０００３】
研究開発段階や出願段階で先行技術調査を行っておらず、記載すべき先行技術文献を知
りません。
【発明の開示】
【発明が解決しようとする課題】
【０００４】
しかしながら、上記葺設方法では、屋根下地と横桟木が密着していることから、例えば
豪雨により、瓦の裏面側に雨水が漏洩すると、雨水は横桟木の棟側面で堰止められ、この
部分に集中的に染み込んで、屋根下地と横桟木の部分的な腐朽が発生した。
又、一般に横桟木は釘付けにて屋根下地に固定されるが、瓦の裏面側に漏洩した雨水の
一部は釘孔と釘との隙間を抜け、屋根下地に滲み込み、屋根下地の腐朽や雨漏りを助長し
ていた。
更に、葺設瓦の裏面と屋根下地、横桟木で囲まれた空間は、所々に僅かながらも隙間は
あるとしても、囲繞空間内の空気は、束縛され自由に移動できないため、雨水は蒸発後も
囲繞空間内に籠もり勝ちで、この様な状況が瓦屋根の耐久性を阻害していた。
【課題を解決するための手段】
【０００５】
本発明は、上記課題に鑑み、屋根下地上に棟に平行状に付設する瓦係止用の横桟を、横
桟主材と、これに整合する横桟副部材を交互に積重ねて成し、該横桟副部材に気液流通孔
を横桟副部材の幅方向であって付設時における屋根勾配方向に貫設することによって、葺
設瓦の裏面側に漏洩した雨水を気液流通孔を通して下方側に流下させると共に、瓦裏面側
の空気を棟側から軒側、或いはその逆方向に自由に流通させ、換気及び湿気排出する様に
して、上記課題を解決する。
又、裏面尻側の差込側に縦桟の嵌合溝を凹設した縦桟瓦の葺設に用いる瓦桟を、上記横
桟上に縦桟を交差状に配設して成し、縦桟の横桟からの突出高さを、葺設した縦桟瓦の裏
面が横桟から離間する様に設定することによって、縦桟瓦の裏面と横桟の間に隙間を形成
して、かかる隙間から空気を流通させ、換気及び湿気排出を更に促す。
【発明の効果】
【０００６】
要するに本発明は、屋根下地上に棟に平行状に付設する横桟を横桟主材と横桟副部材に
より成し、横桟主材に積重する横桟副部材に気液流通孔を横桟副部材の幅方向であって付
設時における屋根勾配方向に貫設したので、瓦の裏面側に雨水が漏れても、雨水は気液流
通孔を通って、軒側へと移動するため、軒先から排出されたり、或いは、特定部位に留ま
らないため、蒸発して拡散する。
そして、発生蒸気は留まることなく空気と共に、気液流通孔を通って、棟側から軒側、
或いは逆方向に移動し、瓦同士の隙間や、棟側、或いは軒先から外部に排出される。
従って、本発明によれば、換気により、屋根下地等を速やかに乾燥させて、瓦屋根の腐
朽防止、耐久性の向上を図ることが出来る。
又、夏季には放熱して、住まいをより快適にすることが出来、冬季には屋根下地と瓦の
間の空気は、日照や大気からの熱伝導によって温められ、気液流通孔を通って対流するこ
とから、伝熱・温度上昇が速く、屋根裏や室内との温度の差が減少して、結露防止や室内
保温に貢献することが出来る。
又、横桟主材と横桟副部材の形状を整合させ、これらを交互に積重ねて横桟としたので
、積重ね順を所望により変更でき、建築物の所在地風土、気候に応じ、横桟における気液
流通孔の位置を上、下、或いは上下両方など適宜に選択して、例えば降雨量が多く暑い地
域ならば、横桟主材の上下に横桟副部材を設け、空気の流通経路を拡大して、換気及び湿
気排出性を更に向上させることが出来る。
【０００７】
横桟主材、横桟副部材、或いは、横桟主材及び横桟副部材を、硬質で且つ形状復元性を
有する樹脂にて形成したので、屋根下地に横桟を釘付けしても、釘孔周囲が形状復元作用
を示し、釘に密着して、シーリングされることから、釘孔から漏洩雨水が滲み込むことは
なく、屋根下地の腐朽防止をより確実なものとすることが出来るだけでなく、瓦葺き屋根
の防水性を向上させることも出来る。
【０００８】
裏面尻側の差込側に縦桟の嵌合溝を凹設した縦桟瓦の葺設に用いる瓦桟であって、請求
項１又は２に記載の横桟上に縦桟を交差状に配設して成り、該縦桟の横桟からの突出高さ
を、葺設した縦桟瓦の裏面が横桟から離間する様に設定したので、縦桟瓦の裏面と横桟の
間に隙間を形成して、かかる隙間からも空気を流通させ、一段と効率良く換気及び湿気排
出を行うことが出来る。
【０００９】
縦桟瓦は差込側を縦桟で支持すると共に、他端を隣接する他の縦桟瓦の差込側に覆い被
せて葺設するが、そのため縦桟瓦は縦桟の配設間隔にて、効き幅が規制されてしまうが、
縦桟の位置を横桟の長手方向であって付設時における屋根幅方向に変更自在としたので、
効き幅の異なる種々の縦桟瓦に対応させることが出来る等その実用的効果甚だ大である。
【発明を実施するための最良の形態】
【００１０】
以下本発明の一実施例を図面に基づいて説明する。
図１及び２は本発明に係る瓦桟の斜視図、図３は図１及び２の瓦桟を構成する縦桟の六
面図、図４〜６は同上瓦桟を使用し縦桟瓦を葺設した状態を示す図であり、図４は縦桟と
縦桟瓦の嵌合部位での概略断面図、図５は平面図、図６は図５に対応する部分拡大背面図
である。
【００１１】
図１〜５に示す様に、この瓦桟は、屋根下地Ｒの上に棟に平行状に付設する横桟１の上
に縦桟２を交差状態で配設して成り、該横桟１は、角棒状の横桟主材３と、これに整合す
る形状の横桟副部材４を積重ねて構成されている。
積重ね順は、横桟副部材４が横桟主材３の上側、或いは下側のどちらでも良く、また横
桟主材３の上下両側に横桟副部材４を設けて横桟１としても良く、要するに、横桟主材３
と、横桟副部材４とを交互に積重すれば良い。
そして、横桟副部材４には気液流通孔５、5a…が横桟副部材４の幅方向（屋根下地上付
設時における屋根勾配方向）に貫設されている。
【００１２】
横桟主材３、横桟副部材４は、その片方、或いは、両方を、硬質で且つ形状復元性を有
するポリプロプレン等の樹脂にて形成するのが良い。
硬質性が要求される理由は、瓦Ｗを支え得る剛性が必要であるからであり、また形状復
元性とは、釘や錐などの穿孔体を刺し込んだ場合、穿孔体によってその周囲に押し退けら
れた部分が、元の状態に戻ろうとして、穿孔が窄まる性質である。
従って、屋根下地Ｒ上に横桟を付設する際に、上記樹脂で形成された横桟主材３や横桟
副部材４に釘を打ち付けると、穿孔周囲により釘が締めつけられ、穿孔周囲は釘に密着す
る。
【００１３】
縦桟２は、位置変更自在とするのが良く、例えば図３に示す様に、縦桟２を角棒状の縦
桟体６と、該縦桟体６の下面に突設した一対の挟持片７、7aから成し、該挟持片７、7aは
横桟１の幅よりやや狭い間隔にて並設され、かかる挟持片７、7aの間に横桟１を挟み込ん
で、縦桟２を横桟１の長手方向（屋根下地上付設時における屋根幅方向）に摺動自在とす
れば良い。
【００１４】
使用に際しては、図４〜６に示す様に、縦桟瓦Ｗの裏面尻側の剣（山形突起）Ｓを横桟
１の棟側面に引っ掻け、縦桟瓦Ｗの裏面尻側で差込側に凹設した嵌合溝に縦桟２を嵌合さ
せる。
すると、この瓦桟は、縦桟２の横桟１からの突出高さを縦桟瓦Ｗの嵌合溝の深さよりも
丈高にし、葺設した縦桟瓦Ｗの裏面が横桟１から離間する様に設定してあるため、縦桟瓦
Ｗの尻側は、縦桟２と隣接する他の縦桟瓦Ｗにより支持され、縦桟瓦Ｗの裏面と横桟１と
の間に隙間が形成される。
この様に、本発明に係る瓦桟は縦桟瓦Ｗの葺設に用いるものであるが、勿論、瓦桟の構
成中の横桟１を通常瓦（縦桟の嵌合溝を有しない瓦）の葺設に用いても良い。
【００１５】
以上の通り、本発明の瓦桟を使用すれば、横桟１の気液流通孔５、5a…によって、縦桟
瓦Ｗの裏面側に漏洩した雨水は順次下方に流れ落ち、また縦桟瓦Ｗの裏面と屋根下地Ｒ、
横桟１で囲まれた空間の空気は、上記隙間と、気液流通孔５、5a…を通って、スムーズ且
つ自由に移動し、湿気が排出される。
【図面の簡単な説明】
【００１６】
【図１】本発明に係る瓦桟の斜視図である。
【図２】横桟における横桟副部材を横桟主材の下部に設けた瓦桟の斜視図である。
【図３】図１及び２の瓦桟の構成部品である縦桟の六面図である。
【図４】図１の瓦桟の使用状態を示す概略断面図である。
【図５】使用状態を示す平面図である。
【図６】図４の部分拡大背面図である。
【符号の説明】
【００１７】
１        横桟
２        縦桟
３        横桟主材
４        横桟副部材
５、5a…  気液流通孔
【図１】
2006342537.tif 000003
【図２】
2006342537.tif 000004
【図３】
2006342537.tif 000005
【図４】
2006342537.tif 000006
【図５】
2006342537.tif 000007
【図６】
2006342537.tif 000008